(57)【要約】【課題】アナログ式時計の特徴である感覚的、視覚的、図形的な時間の認識性を従来のアナログ式時計に増して優れた時計を提供する。【解決手段】運針手段５は、１時間経過につき、時針３を３０度運針させ、それと同時に、分針４を３９０度運針さる構成とする。これにより、１時間経過につき、時針３が３０度つまり文字板１に印字されている目盛り２の１目盛り運針し、分針４は３９０度つまり目盛り２を１３目盛り運針する。言い換えると、時針３が目盛り２を１目盛り運針すると、分針４は１周回転と１目盛り運針する。すなわち、ちょうど１時間経過する毎に必ず時針３と分針４とがぴったりと重なる。【選択図】図１
2007047138.tif 000002
【特許請求の範囲】
【請求項１】
少なくとも時を示す時針と分を示す分針を備える時計であって、
１時間経過につき、時針を３０度運針し、分針を３９０度運針する運針手段を備え、時針と分針との成す角度により分を表現することを特徴とする相対運針式時計。
【請求項２】
数値により時間を表示する数値表示器を備えることを特徴とする請求項１に記載の相対運針式時計。
【発明の詳細な説明】
【技術分野】本発明は、時計用指針が運針して時刻を表現する時計に関する。
【背景技術】従来広く用いられている時計を大別すると、文字板上の指針を回転運針させることにより時間を表現するアナログ式時計と、液晶表示器等に時間を数値で表示するデジタル式時計とがある。デジタル式時計は、時間を数値として直読できるという特徴があり、一方アナログ式時計は、時間の経過や目的時間までの残り時間を感覚的および視覚的に、使用者が認識でき易いというデジタル式時計には無い特徴や優位性がある。【０００１】アナログ式時計においては、１時間経過につき、分針は文字板上を１周回転つまり３６０度運針し、時針は文字板上に円周状に印字された１２目盛り中の１日盛り、つまり３０度運針する。これにより、時針および分針の文字板上における位置や目盛りによって時間を表現している。【０００２】運針方法や指針に工夫を凝らした時計が提案されている。例えば特許文献１記載の時計は、間隔が不均等な目盛り上を一定時間あたりの回転角が一様でない運針により時間を表現する時計である。【０００３】また、特許文献２記載の時計は、文字板上の時と分の数字をそれぞれ分離表示可能な構成とし、直読を容易にした時計である。
【特許文献１】特開２０００−１４７１４４
【特許文献２】特開平７−２８０９５３
【発明の開示】
【発明が解決しようとする課題】
【０００４】従来のアナログ式時計は、時針および分針のそれぞれ各指針の文字板上での絶対位置により時間を表現している。つまり使用者は、それぞれ各指針の指し示す位置を文字板上の目盛りを用いて時間を読み取っている。【０００５】また、時は１２進数であり、分は６０進法である。広く用いられているアナログ式時計の文字板の目盛りは、時の読み取りに合わせて一周で１２目盛りとなっている。つまり、６０進数である分は、時用に刻まれた１２目盛りを兼用して、読み取る必要がある。【０００６】このように、分針の位置を文字板上の目盛りを用いて読み取る手法は、アナログ式時計の特徴である感覚的、視覚的な時間の認識性に制限を与えている。【０００７】上記特許文献１や特許文献２に提案されている時計は、運針や目盛りに工夫はされているものの、各指針の文字板の目盛り上での位置から時間を読み取っていることには違いが無い。【０００８】本発明の目的は、前記従来のアナログ式時計の問題点を解消するために成されたもので、アナログ式時計の特徴である感覚的、視覚的、図形的な時間の認識性を従来のアナログ式時計に増して優れた時計を提供することである。
【課題を解決するための手段】
【０００９】この発明に係わる相対運針式時計は、少なくとも時針と分針を備える時計であって、１時間経過につき、時針を３０度運針し、同時に、分針を３９０度運針する運針手段を備え、時針と分針との成す角度により分を表現することを特徴とする【００１０】１時間経過につき、時針が３０度つまり文字板に印字されている１２目盛りのうち１日盛りを運針し、それと同時に、分針は３９０度つまり１３目盛りを運針する。言い換えると、時針が１目盛り運針すると、分針は１周と１日盛り運針する。即ち、ちょうど１時間経過する毎に必ず分針と時針とがぴったりと重なる。
【発明の効果】
【００１１】この発明に係わる相対運針式時計は、前述の如く、ちょうど１時間経過する毎に必ず時針と分針とがぴったりと重なる時計を提供する。これにより、分針の文字板上の目盛りに対して分を読み取るのでは無く、時針からみた分針の相対位置、つまり、時針と分針との成す角度により視覚的、図形的に分を読み取ることを可能とする。【００１２】つまり、アナログ式時計の特徴である感覚的、視覚的な時間の認識性を従来のアナログ式時計に増して優れた時計を提供する。また、感覚的、視覚的、図形的に時間を認識できるので、本発明に係わる相対運針式時計を日常用いることにより右脳を活性化する作用を期待できる。【００１３】また、本発明に係わる相対運針式時計は、部品素材や製造工程は従来の時計と殆ど変わりなく、つまり、既存の部品や製造設備等の資産を用いて製造可能であり、多大な費用を要すること無く、新たな時計の市場を提供することを可能とする。
【発明を実施するための最良の形態】
【００１４】以下、本発明を、その実施の形態を示す図面に基づいて説明する。図１は、本発明に係わる相対運針式時計の実施の形態１における主要部の機能構成を模式的に示したブロック図であり、図２は、横から見た主要部の構造を示す外観図である。【００１５】図１において、文字板１の中央部の１点を同一回転軸として、回転運針し、時間を示す時針３と、分を示す分針４とを備え、それら各指針を運針手段５により運針することにより時間を表現する。【００１６】従来のアナログ式時計においての運針手段５は、１時間経過につき、時針３を文字板１上において円周状に印字された目盛り２の１目盛り、つまり３０度運針させ、それと同時に、分針４を、文字板１上を３６０度つまり１周回転運針させる。これにより、使用者は、時針３および分針４の文字板１上における位置を、目盛り２を用いて時間（時と分）を読み取っている。【００１７】本発明に係わる相対運針式時計においての運針手段５は、１時間経過につき、時針３を３０度運針させ、それと同時に、分針４を３９０度運針さることを特徴とする。【００１８】これにより、１時間経過につき、時針３が３０度つまり文字板１に印字されている目盛り２の１目盛り運針し、分針４は３９０度つまり目盛り２を１３日盛り運針する。言い換えると、時針３が目盛り２を１目盛り運針すると同時に、分針４は１周回転と１日盛り運針する。即ち、ちょうど１時間経過する毎に必ず時針３と分針４とがぴったりと重なる。【００１９】さらに、図１を用いて、運針手段５の動作を詳しく説明する。コントローラ５１は、１秒間隔の正確なパルス信号を生成し、そのパルス信号によりステッピングモータ５２を駆動する。運針歯車群５３はステッピングモータ５２により生成される１秒間隔の１回のパルス動力により、時針駆動軸５４を１／１２０度の角度を運針し、それと同時に、分針駆動軸５５を１３／１２０度の角度を運針する歯車構成となっている。【００２０】これにより、１時間経過につき、時針駆動軸５４に取り付けられた時針３が３０度つまり文字板１に印字されている目盛り２の１目盛り運針し、分針駆動軸５５に取り付けられた分針４は１周回転と１目盛り運針する時計を実現する。【００２１】尚、図１は本発明に係わる相対運針式時計の実施の形態における主要部の機能構成を模式的に示したブロック図であり、時針駆動軸５４、および分針駆動軸５５は、実際の構造物においては、図２に示すような同軸形状の駆動軸により構成される。【００２２】次に、図３を用いて、本発明に係わる相対運針式時計での時間表現例を説明する。
本発明に係わる相対運針式時計においは、図３中の（Ａ）は１２時０分、（Ｂ）は３時０分、（Ｃ）は６時０分を示している。つまり毎時０分においては、時針３と分針４は必ず重なる運針位置となる。
（Ｄ）は１２時１５分、（Ｅ）は３時１５分、（Ｆ）は６時１５分を示している。つまり毎時１５分においては、時針３と分針４との成す角度は必ず９０度（直角）となる。
（Ｇ）は１２時３０分、（Ｈ）は３時３０分、（Ｉ）は６時３０分を示している。つまり毎時３０分にいては、時針３と分針４との成す角度は必ず１８０度（一直線）となる。
（Ｊ）は１時少し前、（Ｋ）は４時少し前、（Ｌ）は７時少し前を示している。【００２３】図３に示す様に、本発明に係わる相対運針式時計は、時針から見た分針の相対位置、つまり時針と分針との成す角度から分を読み取ることを可能とする。これにより感覚的、視覚的、図形的に時間を認識することが可能となり、時間の認知性、速読性に優れたアナログ式時計を提供する。【００２４】図４は、上述した本発明に係わる相対運針時計の文字板１上に、数値により時間を表示する数値表示器６を備えた実施の形態２を示す図である。数値表示器６にて、時間を数値として表示することにより、使用者は、感覚的、視覚的、図形的に時間を認識できることに加えて、必要に応じて、時間を数値として、正確に直読することも可能となる。尚、数値表示器６を備えたことを除き、構成および動作は、前述の実施の形態１と同様である。【００２５】本発明に係わる相対運針式時計は、部品素材や製造工程は従来の時計と殆ど変わりなく、つまり、既存の部品や製造設備等の資産を用いて製造可能であり、多大な費用を要すること無く、新たな時計の市場を提供することを可能とする。【００２６】前述の実施の形態１においては、歯車構成による機械式の運針手段５により、時針３や分針４を運針する例を示したが、例えば、マイクロプロセッサやロジック回路等を用いてソフトウエア処理や電子的演算処理を行い、前述の実施の形態と同様の運針を可能とする運針手段５であってもよい。【００２７】また更に、文字板１を液晶パネル等の電子表示パネルにて構成し、時針３および分針４を電子表示パネル上に表示することにより本発明を実施することも可能である。
【図面の簡単な説明】
【図１】本発明の実施の形態１でのブロック図である。
【図２】本発明の実施の形態１での横から見た外観図である。
【図３】本発明に係わる相対運針時計での時間表現例である。
【図４】本発明の実施の形態２を示す図である。
【符号の説明】
１  文字板
２  目盛り
３  時針
４  分針
５  運針手段
６  数値表示器
５１  コントローラ
５２  ステッピングモータ
５３  運針歯車群
５４  時針駆動軸
５５  分針駆動軸
【図１】
2007047138.tif 000003
【図２】
2007047138.tif 000004
【図３】
2007047138.tif 000005
【図４】
2007047138.tif 000006